(57)【要約】【課題】  公共的マークなどのロゴと複数の言語種類の文字列情報などを含んだ印刷内容であっても、かかる小印刷物を容易に作成できるようにする。【解決手段】  本発明は、数行程度の文字列を印刷媒体に印刷する小印刷物作成装置に関する。第１の記憶手段には、複数のロゴの情報を記憶させ、第２の記憶手段には、２以上の言語種類フィールドを含む複数種類のフィールドの情報でなるレコードを、複数記憶させておき、ロゴと文字列が混在した小印刷物の作成指示時に、印刷要素のレイアウトを指定させ、また、第１の記憶手段に記憶されている複数のロゴの情報の中から１個を指定させると共に、第２の記憶手段に記憶されている複数レコードの中から１レコードを指定させ、かつ、指定されたレコード中から１又は複数種類の文字列情報を指定させる。そして、指定されたレイアウトに従って、指定された印刷要素の情報を印刷させて小印刷物を作成させる。【選択図】      図４
2005313469.tif 000002
【特許請求の範囲】
【請求項１】
数行程度の文字列を印刷媒体に印刷する小印刷物作成装置において、
複数のロゴの情報を記憶している第１の記憶手段と、
少なくとも２種類以上の言語種類のフィールドを含む複数種類のフィールドの情報からなるレコードを、複数レコード記憶している第２の記憶手段と、
ロゴと文字列とが混在した小印刷物の作成指示時に、作成しようとする小印刷物での印刷要素のレイアウトを指定させるレイアウト取込手段と、
ロゴと文字列とが混在した小印刷物の作成指示時に、上記第１の記憶手段に記憶されている複数のロゴの情報の中から１個を印刷要素として指定させると共に、上記第２の記憶手段に記憶されている複数レコードの中から、少なくとも１レコードを指定させ、かつ、指定されたレコードの中から１又は複数種類のフィールドの情報も併せて印刷要素として指定させる印刷要素取込手段と、
上記レイアウト取込手段により指定されたレイアウトに従って、上記印刷要素取込手段により指定された印刷要素の情報を印刷させ、小印刷物を作成させる印刷手段と
を有することを特徴とする小印刷物作成装置。
【請求項２】
上記第１の記憶手段と上記第２の記憶手段とが同一のものであり、少なくとも２種類以上の言語種類のフィールドを含む複数種類のフィールドの情報からなるレコードに、ロゴの情報も含まれていることを特徴とする請求項１に記載の小印刷物作成装置。
【請求項３】
上記印刷要素取込手段は、指定されたロゴと、指定されたフィールド又はレコードとが所定の関係の場合には、当該レコード又はフィールドの指定、若しくは、ロゴの指定を拒否することを特徴とする請求項１に記載の小印刷物作成装置。
【請求項４】
上記印刷手段は、作成された小印刷物に印刷された言語種類フィールドに係る情報に関連し、その言語種類を表す注記情報も併せて印刷させることを特徴とする請求項１〜３のいずれかに記載の小印刷物作成装置。
【請求項５】
上記レイアウト取込手段が指定させるレイアウト候補として、上記印刷要素取込手段により指定された印刷要素毎の複数の小印刷物を作成させる候補が用意されていることを特徴とする請求項１〜４のいずれかに記載の小印刷物作成装置。
【請求項６】
上記レイアウト取込手段が指定させるレイアウト候補として、ロゴについてのみ拡大印刷させる候補が用意されていることを特徴とする請求項１〜５のいずれかに記載の小印刷物作成装置。
【請求項７】
数行程度の文字列を印刷媒体に印刷する小印刷物作成方法において、
複数のロゴの情報を記憶している第１の記憶手段と、少なくとも２種類以上の言語種類フィールドを含む複数種類のフィールドの情報からなるレコードを、複数レコード記憶している第２の記憶手段とを予め用意しておくと共に、
ロゴと文字列とが混在した小印刷物の作成指示時に、作成しようとする小印刷物での印刷要素のレイアウトを指定させるレイアウト取込工程と、
ロゴと文字列とが混在した小印刷物の作成指示時に、上記第１の記憶手段に記憶されている複数のロゴの情報の中から１個を印刷要素として指定させると共に、上記第２の記憶手段に記憶されている複数レコードの中から、少なくとも１レコードを指定させ、かつ、指定されたレコードの中から１又は複数種類のフィールドの情報も併せて印刷要素として指定させる印刷要素取込工程と、
上記レイアウト取込工程により指定されたレイアウトに従って、上記印刷要素取込工程がにより指定された印刷要素の情報を印刷させ、小印刷物を作成させる印刷工程と
を有することを特徴とする小印刷物作成方法。
【請求項８】
上記第１の記憶手段と上記第２の記憶手段とが同一のものであり、少なくとも２種類以上の言語種類のフィールドを含む複数種類のフィールドの情報からなるレコードに、ロゴの情報も含まれていることを特徴とする請求項７に記載の小印刷物作成方法。
【請求項９】
上記印刷要素取込工程は、指定されたロゴと、指定されたフィールド又はレコードとが所定の関係の場合には、当該レコード又はフィールドの指定、若しくは、ロゴの指定を拒否することを特徴とする請求項７に記載の小印刷物作成方法。
【請求項１０】
上記印刷工程は、作成された小印刷物に印刷された言語種類フィールドに係る情報に関連し、その言語種類を表す注記情報も併せて印刷させることを特徴とする請求項７〜９のいずれかに記載の小印刷物作成方法。
【請求項１１】
上記レイアウト取込工程で指定させるレイアウト候補として、上記印刷要素取込工程により指定された印刷要素毎の複数の小印刷物を作成させる候補が用意されていることを特徴とする請求項７〜１０のいずれかに記載の小印刷物作成方法。
【請求項１２】
上記レイアウト取込工程で指定させるレイアウト候補として、ロゴについてのみ拡大印刷させる候補が用意されていることを特徴とする請求項７〜１１のいずれかに記載の小印刷物作成方法。
【請求項１３】
請求項６〜１２のいずれかに記載の小印刷物作成方法の各工程及び記憶データをコンピュータが実行可能なコードで記述していることを特徴とする小印刷物作成プログラム。
【発明の詳細な説明】
【技術分野】
【０００１】
本発明は、小印刷物作成装置、小印刷物作成方法及び小印刷物作成プログラムに関し、例えば、専用のテープ印刷装置や、パソコンとラベルプリンタとが結合されたテープ印刷システムや、専用のスタンプ（印章）作成装置や、パソコンとスタンプ作成用周辺装置とが結合されたスタンプ作成システムなどに適用し得るものである。
【背景技術】
【０００２】
例えば、専用のテープ印刷装置は、入力された文字（記号、絵文字、外枠、地紋等を含む概念とする）の列を連続するテープに必要に応じて印刷すると共に、印刷されたテープを排出して切断するものである。このような切断後の文字列が印刷されたテープはラベルと呼ばれている。
【０００３】
テープ印刷装置の普及も進み、ラベルの用途やラベルの作成者の種類も拡大されてきている。例えば、鉄道や観光名所などの多くの者が往来する公共的な場所において、トイレや非常口などを教示するために、刻印プレートではなく、ラベルが用いられたりするようになってきた。公共的な場所に用いられるラベルの場合には、老若男女、看る者の国籍を問わずに表記の内容を認識できるように公共的マークなどを適用した図記号（ピクトグラム）や絵文字やロゴ（以下、これらをまとめてロゴと呼ぶ）が好適であるが、従来のテープ印刷装置では、公共的マークなどのロゴをラベル上に実現するには外字登録機能によることが多い（外字登録機能については、特許文献１参照）。
【特許文献１】特開平６−１１５１６７号公報
【発明の開示】
【発明が解決しようとする課題】
【０００４】
しかしながら、公共的マークなどのロゴを外字登録機能を委ねていた場合には、公共的マークなどのロゴを含むラベルの作成に長時間を要することになる。
【０００５】
公共的マークなどのロゴの一部が記号として用意されているテープ印刷装置もあるが、以下のような課題を有するものであった。公共的マークなどのロゴを適用したとしても、文字列の存在が役立つ場合がある。例えば、あるロゴが、国によって認識率が異なるような場合には、認識率が低い国の言語の文字列などを補完的に印刷することが好ましい。しかしながら、従来のテープ印刷装置は、文字種が限定されていたため、このような文字列の併記に容易に対応できないものであった。仮に、その言語での文字列を入力し得るとしても、ロゴの選択操作および、ロゴの選択操作と独立した文字列の入力操作などを行なわなければならず、そのようなラベルの作成のための操作に長時間を要するものであった。
【０００６】
そのため、公共的マークなどのロゴを含んだ印刷内容を有する小印刷物を容易に作成できる、ユーザの使い勝手を高めた小印刷物作成装置、小印刷物作成方法及び小印刷物作成プログラムが望まれている。
【課題を解決するための手段】
【０００７】
かかる課題を解決するため、第１の本発明の小印刷物作成装置は、数行程度の文字列を印刷媒体に印刷する小印刷物作成装置であって、複数のロゴの情報を記憶している第１の記憶手段と、少なくとも２種類以上の言語種類のフィールドを含む複数種類のフィールドの情報からなるレコードを、複数レコード記憶している第２の記憶手段と、ロゴと文字列とが混在した小印刷物の作成指示時に、作成しようとする小印刷物での印刷要素のレイアウトを指定させるレイアウト取込手段と、ロゴと文字列とが混在した小印刷物の作成指示時に、上記第１の記憶手段に記憶されている複数のロゴの情報の中から１個を印刷要素として指定させると共に、上記第２の記憶手段に記憶されている複数レコードの中から、少なくとも１レコードを指定させ、かつ、指定されたレコードの中から１又は複数種類のフィールドの情報も併せて印刷要素として指定させる印刷要素取込手段と、上記レイアウト取込手段により指定されたレイアウトに従って、上記印刷要素取込手段により指定された印刷要素の情報を印刷させ、小印刷物を作成させる印刷手段とを有することを特徴とする。
【０００８】
第２の本発明の小印刷物作成方法は、数行程度の文字列を印刷媒体に印刷する小印刷物作成方法であって、複数のロゴの情報を記憶している第１の記憶手段と、少なくとも２種類以上の言語種類フィールドを含む複数種類のフィールドの情報からなるレコードを、複数レコード記憶している第２の記憶手段とを予め用意しておくと共に、ロゴと文字列とが混在した小印刷物の作成指示時に、作成しようとする小印刷物での印刷要素のレイアウトを指定させるレイアウト取込工程と、ロゴと文字列とが混在した小印刷物の作成指示時に、上記第１の記憶手段に記憶されている複数のロゴの情報の中から１個を印刷要素として指定させると共に、上記第２の記憶手段に記憶されている複数レコードの中から、少なくとも１レコードを指定させ、かつ、指定されたレコードの中から１又は複数種類のフィールドの情報も併せて印刷要素として指定させる印刷要素取込工程と、上記レイアウト取込工程により指定されたレイアウトに従って、上記印刷要素取込工程がにより指定された印刷要素の情報を印刷させ、小印刷物を作成させる印刷工程とを有することを特徴とする。
【０００９】
第３の本発明の小印刷物作成プログラムは、第２の本発明の小印刷物作成方法の各工程や記憶データをコンピュータが実行可能なコードで記述していることを特徴とする。
【発明の効果】
【００１０】
本発明によれば、予め用意してロゴ及び文字列情報の組から、印刷要素を指定させて小印刷物を作成するので、公共的マークなどのロゴと複数の言語種類の文字列情報などを含んだ印刷内容であっても、かかる小印刷物を容易に作成でき、ユーザの使い勝手を高めることができる。
【発明を実施するための最良の形態】
【００１１】
（Ａ）第１の実施形態
以下、本発明による小印刷物作成装置、小印刷物作成方法及び小印刷物作成プログラムを、テープ印刷装置、テープ印刷方法及びテープ印刷プログラムに適用した第１の実施形態を図面を参照しながら詳述する。
【００１２】
図１は、第１の実施形態のテープ印刷システムの電気的な全体構成を示すブロック図であり、図２は、そのテープ印刷システムの外観イメージを示す概略斜視図である。なお、第１の実施形態のテープ印刷システム（テープ印刷装置）は、テープ印刷専用の独立した装置として構成されている。
【００１３】
図１において、第１の実施形態のテープ印刷システムは、大きくは、入力部１０、制御部２０及び出力部３０から構成されており、制御部２０が、入力部１０からの情報やその時点の処理段階等に応じた処理を実行し、その処理結果等を出力部３０によって表示出力又は印刷出力させるようになされている。
【００１４】
入力部１０は、詳細な構成は省略するが押下キー（やダイヤルキー、タッチパネル等）を備えたキー入力部１１や、テープ種類検出センサ１２を有する。
【００１５】
キー入力部１１は、制御部２０に与える文字コードや各種の制御データを発生するものである。この実施形態の場合、キー入力部１１には、後述するロゴ・文字列ラベルモードに移行させるためロゴ・文字列ラベルモードキー１１ａ（専用キーでも良く、他のキーなどと共に用いられる兼用キーでも良く、さらには、所定順序で操作される複数種類のキー群であっても良い）や、後述するロゴ・文字列対応付けテーブル２２ｂを、文字列などの入力に利用させるための字引キー１１ｂも設けられている。
【００１６】
テープ種類検出センサ１２は、装填されているテープの種類を検出してテープ種類情報を制御部２０に与えるものである。ここでのテープの種類は、テープの幅や色などで規定される。テープは、例えば、インクリボンと共にカセットに収容されており、カセットにはテープの種類を規定する物理的な識別要素が設けられており、テープ種類検出センサ１２は、その物理的な識別要素を読み取る。
【００１７】
図２における透明窓部を有する蓋体５０は、テープカセットＴＣを収容する装置筐体内部の空間の上部に設けられたものであり、この蓋体５０の下方にテープカセットＴＣが装填され、その装填状態のテープカセットＴＣの物理的な識別要素をテープ種類検出センサ１２が読み取る。
【００１８】
出力部３０は、印刷構成と表示構成とからなる。ここで、印刷構成は、テープに対して通常の印刷を行う構成であり、表示構成は、ラベルに印刷させる入力情報や、操作ガイダンスのメッセージなどを表示する構成である。
【００１９】
例えばステッピングモータや直流モータ等を中心として構成されているテープ・リボン走行機構３１は、装填されている図示しないテープやインクリボンを所定の印刷位置や装置外部まで送り出すものであり、印刷ヘッド（ここではサーマルヘッドとする）３２は例えば固定されていて、走行するテープに対して熱転写によって印刷を行なうものである。これらテープ・リボン走行機構３１及びサーマルヘッド３２はそれぞれ、制御部２０の制御下で、走行駆動回路３３やヘッド駆動回路３４によって駆動される。印刷されたテープの切断は、例えば、ユーザからの外力又はモータによって駆動される図示しないカッタによって行なわれる。なお、図２の排出口５２が印刷されたテープを排出するものであり、排出口５２の近傍に図示しない切断用のカッタが設けられている。
【００２０】
このテープ印刷システムの表示部として、例えば所定サイズの文字を数行（例えば４行）に亘って数文字（例えば１２文字）程度表示できる程度の液晶ディスプレイ３５が設けられており、この液晶ディスプレイ３５は、制御部２０の制御下でディスプレイ駆動回路３６によって駆動される。なお、この実施形態の場合、液晶ディスプレイ３５は、蓋体５０（図２参照）上に設けられている。
【００２１】
液晶ディスプレイ３５の表示面は、入力された文字列などを表示する文字表示領域と、入力された文字列の各行の入力状態等を表す行番号インジケータと、入力文字列に係る各種の属性等を表す属性インジケータとを有する。各属性インジケータは、そのオン表示が、その属性インジケータに対応した表示面の周囲に記載されている文字が表す属性が採用されていることを表すものである。各属性インジケータが指示する属性としては、文字サイズについてのものや、かな入力やローマ字入力等の入力方式についてのものや、たて書や中揃え等の文字列のある程度のかたまりを単位としたものや、装飾文字や英書体等の文字単位のものや、基本的な書式の選択有無を表すものなどがある。
【００２２】
制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
【００２３】
ＲＯＭ２２は、１又は複数個のＲＯＭチップでなり、各種の処理プログラムや、かな漢字変換用辞書データ等の固定データが格納されている。例えば、ロゴ・文字列ラベルモードの実行プログラム２２ａや、ロゴ・文字列対応付けテーブル２２ｂ（後述する図３参照）や、このロゴ・文字列対応付けテーブル２２ｂを文字列などの入力に利用させるためのテーブル利用字引プログラム２２ｃが格納されている。
【００２４】
ＲＡＭ２３は、１又は複数個のＲＡＭチップでなり、ワーキングメモリとして用いられるものであり、また、ユーザ入力に係る固定データ等も格納するものである。図１では、ＲＡＭ２３として記載しているが、ワーキングメモリとして用いられるＥＥＰＲＯＭ等の他のメモリ素子を含む概念とする。ＲＡＭ２３は、印刷する文字列やロゴをドット展開して格納する印刷バッファや、入力文字列などについての表示画像を格納する表示バッファや、印刷や入力に係る文字データ等を格納するテキストバッファや、行番号インジケータについての表示態様を保持する行番号インジケータ状態保持バッファや、属性インジケータについての表示態様を保持する属性インジケータ状態保持バッファ等を有する。
【００２５】
ＣＧ−ＲＯＭ２４は、当該テープ印刷システムに用意されている文字や記号やロゴのドットパターンを格納しているものであり、文字や記号やロゴを特定するコードデータが与えられたときに対応するドットパターンを出力するものである。なお、表示用と印刷用とで別個のＣＧ−ＲＯＭが設けられていても良い。フォント情報の格納形式は、アウトラインフォント形式及びビットマップ形式のいずれであっても良い。
【００２６】
入力インタフェース２５は、入力部１０及び制御部２０間のインタフェースを行なうものであり、出力インタフェース２６は、出力部３０及び制御部２０間のインタフェースを行なうものである。
【００２７】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を液晶ディスプレイ３５に表示させたりテープに印刷させたりするものである。
【００２８】
図３は、ロゴ・文字列対応付けテーブル２２ｂの構成例を示すものである。なお、図３において、フィールド中の「○○」は該当する情報がそのフィールドに記述されていることを表している。
【００２９】
ロゴ・文字列対応付けテーブル２２ｂにおける１レコードは、ロゴ２２ｂ−１と、そのロゴに対応する各言語（例えば、日本語、英語、中国語（簡体字）、中国語（繁体字）、韓国語など）での文字列２２ｂ−２〜２２ｂ−６と、そのロゴに関連する連絡先情報（ＵＲＬや電話番号）２２ｂ−７と、そのロゴに関連する意味や内容を表す解説情報２２ｂ−８と、そのロゴに対応する音コード列（印刷された音コード列を対応する読み取り装置で読み取るとその読み取り装置により音声を出力可能とするコード（バーコードであっても良く、スキャントーク（登録商標）用のコードであっても良い）２２ｂ−９とをラベルに印刷可能な要素として含み、さらに、そのロゴが属するカテゴリー（階層化されていても良い）２２ｂ−１０や、そのロゴがカラー印刷の対象であるか否かや印刷する際の色成分を規定しているカラー対応情報２２ｂ−１１を含んでいる。
【００３０】
なお、１レコードの全てのフィールドの情報が記述されている必要はなく、少なくとも、ロゴ２２ｂ−１と、１言語の文字列（２２ｂ−２〜２２ｂ−６のいずれか）とが記述されていれば良い。また、解説情報や音コード列も、文字列２２ｂ−２〜２２ｂ−６と同じ言語数だけ記述したものであっても良い。また、解説情報も、同一言語について、複数用意しておくものであっても良い。例えば、日本語文字列２２ｂ−２で「触るな」に係る解説情報として、「非常に高温です」や、「汚れが付きます」などを用意していても良い。また例えば、解説情報は、禁煙ロゴに対して、「喫煙は１８才からです」のように、ロゴが表している内容と異なる観点による内容であっても良い。連絡先情報は、例えば、「非常口」の場合において、その連絡先情報が規定する電話番号やＵＲＬにアクセスすると、建物外部に行ける通路手順などが、合成音声やホームページで教示されるようなものである。音コード列は、例えば、史跡ロゴの場合であれば、その史跡の簡易なガイド文の音声でなる。
【００３１】
ロゴ・文字列対応付けテーブル２２ｂは、システムが固定的に持っているものだけでなく、ユーザが編集し得るもの（その登録動作については後述する）があっても良い。
【００３２】
次に、第１の実施形態のテープ印刷装置の特徴動作（テープ印刷方法（小印刷物作成方法））を説明する。
【００３３】
この第１の実施形態は、ロゴと文字列とを含むラベルの作成動作（ロゴ・文字列ラベルモードの処理）に第１の特徴を有するので、まず、ロゴと文字列とを含むラベルの作成動作について、図４のフローチャートを参照しながら説明する。
【００３４】
ユーザによってロゴ・文字列ラベルモードキー１１ａが操作されると、ＣＰＵ２１は、図４のフローチャートで示すロゴ・文字列ラベルモードの実行プログラム２２ａを開始する。
【００３５】
そしてまず、ＣＰＵ２１は、ロゴ・文字列ラベルモードに直ちに移行できるか否かを判別し（Ｓ１００）、移行できない場合であれば、ロゴ・文字列ラベルモードに移行しても良いか否かをユーザに問い合わせるメッセージを液晶ディスプレイ３５に表示させて、ユーザの強制移行の意思を確認する（Ｓ１０１）。例えば、ロゴ・文字列ラベルモードキー１１ａが操作されたときに、入力されている文字列が存在している場合には、ロゴ・文字列ラベルモードに移行すると入力文字列が消去されるが、移行しても良いか否かをユーザに問い合わせる。ユーザが、強制移行の意思を表示した際には、入力文字列を消去するなどして、ロゴ・文字列ラベルモードでの初期状態にする（Ｓ１０２）。
【００３６】
ＣＰＵ２１は、ロゴ・文字列ラベルモードに直ちに移行できる場合や、ステップＳ１０２の処理が終了した際には、ロゴ・文字列対応付けテーブル２２ｂにおける１レコードを選択させるためのレコード選択方法そのものを選択させるメッセージを表示させて、ユーザによって、選択されたレコード選択方法を取り込む（Ｓ１０３）。そして、ＣＰＵ２１は、選択されたレコード選択方法に従って、ロゴ・文字列対応付けテーブル２２ｂにおける１レコードをユーザによって選択させる（Ｓ１０４）。
【００３７】
例えば、以下のような第１及び第２のレコード選択方法があり、上述したステップＳ１０３では、第１又は第２のレコード選択方法のいずれを適用するかを選択させる。
【００３８】
第１のレコード選択方法は、階層化されているカテゴリーの情報を用いて最下位階層でのカテゴリーを選択させ、選択された最下位階層のカテゴリーに属する複数のレコードから１レコードを選択させる。ここで、最下位階層のカテゴリーを選択させるまでは、最上位階層から順にカテゴリー名を表示して選択させ、最下位階層のカテゴリーに属する複数のレコードからの選択では、各レコードのロゴを選択肢として表示させて選択させる。各レコードのロゴに代え（又は加え）、日本語文字列などを表示させて選択させるようにしても良く、表示項目を、ユーザのカーソルキーなどの操作に応じて、ロゴや日本語文字列などの間で切り換えられるようにしても良い。
【００３９】
例えば、非常口や禁煙などが属する「公共マーク」や、動物用語や植物用語などが属する「教育」を上位階層とする。「公共マーク」の下位階層として、例えば、禁煙などが属する「禁止マーク」や、非常口が属する「場所マーク」を用意しておき、「禁止マーク」の中から、「禁煙」や「触るな」などに係るレコードを選択させ、「場所マーク」の中から、「非常口」などに係るレコードを選択させる。「教育」の下位階層として、例えば、「動物用語」や「植物用語」を用意しておき、「動物用語」の中から、「熊」や「ライオン」などに係るレコードを選択させ、「植物用語」の中から、「桜」や「菊」などに係るレコードを選択させる。
【００４０】
第２のレコード選択方法は、ロゴ・文字列対応付けテーブル２２ｂにおける各レコードを、通し番号とそのレコードのロゴとの組を選択肢として表示させて選択させる方法である。この第２のレコード選択方法でも、各レコードのロゴに代え（又は加え）、日本語文字列などを表示させて選択させるようにしても良く、表示項目を、ユーザの操作に応じて、ロゴや日本語文字列などの間で切り換えられるようにしても良い。
【００４１】
以上のようにして１レコードが選択されると、ＣＰＵ２１は、そのレコードに係るラベルに印刷可能な要素（フィールド）２２ｂ−１〜２２ｂ−９の情報のうち、ラベルに印刷するものを、ユーザによって選択させる（Ｓ１０５）。
【００４２】
ここで、ロゴ２２ｂ−１は、絶対的な印刷項目として選択対象から外すようにしても良い（以下では、この場合として説明している）。また、中国語（簡体字）２２ｂ−４と中国語（繁体字）２２ｂ−５とは択一的にのみ選択可能とするようにしても良い。さらに、ラベルに印刷させる要素の上限数を設けておき、その上限数以下の要素の選択しか認めないようにしても良い。同様に、ラベルに印刷させる要素の下限数を設けておき、その下限数以上の要素の選択しか認めないようにしても良い（以下では、ロゴと、１個の他の要素の選択を下限としているとして説明する）。
【００４３】
ラベルに印刷させる要素の選択が終了すると、ＣＰＵ２１は、各要素をラベル上のどの位置に配置させるか（レイアウト）をユーザによって選択させる（Ｓ１０６）。
【００４４】
図５は、ステップＳ１０６によるレイアウト選択処理の詳細を示すフローチャートである。
【００４５】
ＣＰＵ２１は、図５に示す処理ルーチンに入ると、まず、要素別カッテング方式を適用するか否かをユーザに選択させる（Ｓ２００）。ここで、要素別カッテング方式とは、印刷要素として選択された要素毎にラベルを形成させる方式であり、そのようにして得られた複数のラベルをユーザが任意の位置関係で貼付することにより、自由なレイアウトを達成する方式である。例えば、図６（Ａ）及び（Ｂ）が要素別カッテング方式のイメージの説明図であり、図６（Ｂ）は後述する注記文字（又は注記マーク）を含む場合を示している。
【００４６】
要素別カッテング方式の適用がユーザによって選択されると、ＣＰＵ２１は、ロゴに対して拡大印刷機能の適用可否情報をユーザから取り込むと共に（Ｓ２０１）、各要素毎ラベルに対する注記文字（又は注記マーク）の印刷可否情報をユーザから取り込み（Ｓ２０２）、定まったレイアウトの情報を記憶させる（Ｓ２０３）。拡大印刷機能とは、ロゴの上半分だけを拡大して印刷したラベルと、ロゴの下半分だけを拡大して印刷したラベルとを形成し、それらをラベルの幅方向に並設した場合、テープの幅の２倍の幅を有する擬似的なラベルを形成させる機能であり、３倍以上の拡大印刷機能をも選択可能としても良い。
【００４７】
要素別カッテング方式でも、要素別の要素毎ラベルに、複数の要素の情報を併記して印刷させるようにしても良い。この場合、併記する要素の組み合わせを選択させることになる。また、ハーフカットする（テープの印字紙層のみを切断し、剥離紙層を切断しない）かフルカットする（テープの印字紙層も剥離紙層も共に切断する）かも、要素別カッテング方式での選択項目とするようにしても良い。以下では、要素別カッテング方式ではフルカットするものとして説明する。
【００４８】
各要素毎ラベルに対する注記文字（又は注記マーク）とは、そのラベルが、その印刷要素に関するものであるかをユーザに知得させるために、ラベルの余白などに小さく印刷する文字又はマークである。例えば、日本語文字列を印刷したラベルであれば、注記文字（又は注記マーク）として、ラベルの右下に小さく「日」の字を印刷したり、又は、日の丸（国旗）を印刷したりする。
【００４９】
要素別カッテング方式がユーザによって選択されない場合には（ステップＳ２００で否定結果）、ＣＰＵ２１は、ロゴとそれ以外の要素数で定まるレイアウトの複数の候補の中から、１個のレイアウトを選択させ（Ｓ２０４）、定まったレイアウトの情報を記憶させる（Ｓ２０３）。
【００５０】
なお、ステップＳ２０４でのレイアウトの選択処理では、例えば、図７（Ａ）及び（Ｂ）に示すようなロゴを除き要素の種類を問わないレイアウトの選択と、各要素をどこに位置させるかの配置指示とでなる。図８（Ａ）及び（Ｂ）はそれぞれ、図７（Ａ）及び（Ｂ）に対応するラベルの作成結果を示している。図７（Ａ）及び（Ｂ）に示すようなロゴ以外の要素を併記する箇所がある場合には、右揃え、センタリングなどや均等割付などの揃え方法をユーザによって指示可能とするようにしても良い。
【００５１】
レイアウトが決定されると、ＣＰＵ２１は、今回選択されたロゴ・文字列対応付けテーブル２２ｂのレコードにおけるカラー対応情報２２ｂ−１１が、カラー対応を表すものになっているか否かを判別する（Ｓ２０５）。例えば、非常口のロゴは、緑色のものが一般的であるので、緑色のカラー対応と記述しておく。また、注意系のロゴは、黄色のカラー対応と記述しておく。
【００５２】
カラー対応を表すものになっていない場合には、図４に示すメインルーチンに直ちに戻る。カラー対応を表すものになっている場合には、ＣＰＵ２１は、カラー印刷（又はテープ色の限定）を行うか否かをユーザから取り込んでその情報を設定させた後（Ｓ２０６）、図４に示すメインルーチンに直ちに戻る。
【００５３】
レイアウトが定まると、ＣＰＵ２１は、要素別カッテング方式が選択されているか否かを確認したり印刷属性を定めたりして、印刷イメージを表示させ（Ｓ１０７）、印刷の実行キーの操作を待ち受ける（Ｓ１０８）。なお、印刷イメージの表示に対して、ユーザがやり直しを指示した場合には、ステップＳ１０４のレコードの選択処理、ステップＳ１０５の印刷要素の選択処理、又は、ステップＳ１０６のレイアウトの選択処理に戻る。
【００５４】
ユーザによって、印刷の実行が指示されると、ＣＰＵ２１は、装填されているテープが印刷を実行できるものになっているか否かを確認し（Ｓ１０９）、装填されているテープが印刷を実行できないものであれば、交換を求めるメッセージを液晶ディスプレイ３５に表示させて交換させる（Ｓ１１０）。例えば、カラー対応になっている場合において、カラー対応のテープが装填されていなければ交換させる。
【００５５】
その後、ＣＰＵ２１は、要素別カッテング方式が選択されているか否かを確認したり印刷属性を定めたりして、印刷に供する要素をドット展開し、テープに印刷させる（Ｓ１１１）。テープへの印刷了すると、一連の処理を終了して、ロゴ・文字列ラベルモードキー１１ａが操作される直前の状態に復帰させる。なお、テープへの印刷が終了したときに、終了するか、同一内容の印刷を繰り返すかを問うメッセージを表示し、終了が求められたときに、ロゴ・文字列ラベルモードキー１１ａが操作される直前の状態に復帰させるようにしても良い。
【００５６】
要素別カッテング方式が選択されている場合には、要素内容のテープへの印刷が終了する毎に、カット処理を行う。自動カット機構を有するものであれば、フルカット（又はハーフカット）を自動的に行い、手動カット機構を有するものであれば、カットを求めるメッセージを表示させ、カットを検出したときに、次の要素の印刷に戻る。
【００５７】
次に、第１の実施形態の第２の特徴をなす、ロゴ・文字列対応付けテーブル２２ｂを、文字列などの入力に利用する動作について、図９のフローチャートを参照しながら説明する。
【００５８】
通常の入力動作において、字引キー１１ｂが操作されると、ＣＰＵ２１、図９に示すテーブル利用字引プログラム２２ｃを開始する。そしてまず、ＣＰＵ２１、字引での検索する側となるテーブルの要素の種類を指定させるメッセージを液晶ディスプレイ３５に表示させて、ユーザが指定した検索する側の要素の種類を取り込むと共に（Ｓ３００）、字引での検索される側となるテーブルの要素の種類を指定させるメッセージを液晶ディスプレイ３５に表示させて、ユーザが指定した検索される側の要素の種類を取り込む（Ｓ３０１）。
【００５９】
例えば、ロゴを検索キーとして、ロゴ・文字列対応付けテーブル２２ｂから、そのロゴに対応する解説情報を取り出す字引では、ユーザは、「ロゴ」を検索する側の要素種類として指定し、「解説情報」を検索される側の要素種類として指定する。ここで、検索する側の要素種類も、検索される側の要素種類も、なり得るものに制限を加えておくようにしても良い。例えば、検索する側の要素種類として、ロゴ２２ｂ−１と日本語文字列２２ｂ−２だけを認めるようにしても良い。また、検索される側の要素種類は、複数種類の指定を許容するようにしても良い。なお、検索される側の要素の種類は、ここでは指定させずに、後述するようにしてレコードが指定された後で、検索される側の要素の種類を指定させるようにしても良い。
【００６０】
検索する側の要素種類も検索される側の要素種類も指定されると、ＣＰＵ２１は、検索する側の要素種類で候補を表示して、ロゴ・文字列対応付けテーブル２２ｂ内の１レコードを指定させる（Ｓ３０２）。ここでも、カテゴリーを利用してある程度候補を絞り込んだ段階で、検索する側の要素種類で候補を表示してレコードを指定させるようにしても良い。
【００６１】
その後、ＣＰＵ２１は、指定されたレコードにおける検索される側の要素の種類の情報を取り出し（Ｓ３０３）、字引キー１１ｂが操作されたときにカーソルが位置していた入力文字列の位置に続けてその取り出し情報を追加して（Ｓ３０４）、通常の入力動作状態に戻る。取り出し情報を追加処理によっては、テキストエリアにデータが追加されたり、表示バッファが、その追加によって更新されたりする。
【００６２】
このようなテーブル利用の字引機能により、例えば、ロゴ（例えば熊図形）を指定してそれに対応する韓国語文字列（熊の韓国語表記）を取り出して入力文字列に含めることができ、また例えば、日本語文字列を指定してそれに対応する英語文字列を取り出して入力文字列に含めることができ、さらに例えば、日本語文字列を指定してそれに対応するロゴを取り出して入力文字列に含めることができる。
【００６３】
ロゴ・文字列対応付けテーブル２２ｂに対し、ユーザ登録機能を設けるようにしても良く、このようにすると、ロゴ・文字列対応付けテーブル２２ｂをより充実させることができる。フローチャートは省略するが、ロゴ・文字列対応付けテーブル２２ｂに対するユーザ登録機能について簡単に説明する。
【００６４】
ロゴ・文字列対応付けテーブル２２ｂに対するユーザ登録機能を起動するキーが操作されると、ユーザ登録モードに入り、通し番号が最も小さい空きレコードを登録エリアに決定し、記号又は登録外字の中から、ロゴとして登録するものを選択させ、他のフィールドについては、ユーザに任意に入力させる。
【００６５】
なお、日本語文字列及びカテゴリーだけを必須の入力フィールドとするようにし、他のフィールドについては空きフィールドを許容するようにしても良い。カテゴリーについては、装置が予め用意しているカテゴリー名から選択入力させるようにすることが好ましい。
【００６６】
音コード列２２ｂ−９についても、ユーザの登録を認めるようにしても良い。例えば、文字「ＣＤＥＦＧＡＢ」のキーをそれぞれ、音程「ドレミファソラシ」に対応付けると共に（高音や低音はある所定キーとの同時押し）、文字キーの１度押し＋実行、２度押し＋実行、３度押し＋実行などをそれぞれ、８分音符、４分音符、２分音符に対応付けて音譜を入力し、例えば、音譜を音コード列に変化するソフトウェア（当該装置が内蔵する）を用いて音コード列を入力する。
【００６７】
なお、外字登録機能で外字が作成されて登録キーが操作されたときには、外字の登録記憶を行うと共に、ロゴ・文字列対応付けテーブル２２ｂに対するユーザ登録機能に移行するか否かを問うメッセージを表示させ、外字登録機能からロゴ・文字列対応付けテーブル２２ｂに対するユーザ登録機能に移行させるようにしても良い。
【００６８】
第１の実施形態によれば、ロゴ・文字列対応付けテーブルに、ロゴと、そのロゴに対応する文字列などを対応付けて格納しておき、ロゴと文字列などとを有するラベルの作成時に、このテーブルから印刷要素を取り出してラベルを作成するようにしたので、公共的マークなどのロゴを含んだ印刷内容のラベルをユーザが容易に作成することができる。
【００６９】
ここで、ロゴに対応する要素として、複数言語での文字列や、解説情報や、連絡先や、音コード列を用意しているので、ラベルに含める要素種類の選択によっては、多種多様なラベルを実現でき、その中から、ユーザが所望するものを実現することができる。また、テーブル上のレコードの選択は、ロゴの選択による場合だけでなく、他の要素を利用した選択も可能であるので、この点で、ユーザの使い勝手が高くなっている。
【００７０】
さらに、ロゴ・文字列対応付けテーブルに対するユーザ登録機能を設けたので、ロゴと文字列などを含むユーザのオリジナルなラベルを、時間や場所を隔てて繰り返し作成することもできる。
【００７１】
さらにまた、要素別カッテング方式を設けたので、ユーザが、各要素ラベルを任意に配置したレイアウトの擬似的なラベルも実現可能である。
【００７２】
また、第１の実施形態によれば、ロゴ・文字列対応付けテーブルを入力用の変換テーブルとして用いて、所望要素の文字列などの入力に利用できるようにしたので、ユーザの使い勝手を高くできる。例えば、韓国語での非常口に対応する表記（文字列）を知らなくても、非常口用のロゴを指定し、韓国語での非常口に対応する表記を選択することを通じて、韓国語での非常口に対応する表記を入力することができる。
【００７３】
（Ｂ）第２の実施形態
次に、本発明による小印刷物作成装置、小印刷物作成方法及び小印刷物作成プログラムを、テープ印刷装置、テープ印刷方法及びテープ印刷プログラムに適用した第２の実施形態を図面を参照しながら、第１の実施形態との相違点を中心に説明する。
【００７４】
第２の実施形態のテープ印刷装置も、その全体構成は、第１の実施形態に係る図１及び図２とほぼ同様であるので、その図示は省略する。なお、以下では、図１及び図２での符号を適宜用いて説明する。
【００７５】
第２の実施形態のテープ印刷装置は、第１の実施形態のロゴ・文字列対応付けテーブル２２ｂに相当する記憶手段として、図１０（Ａ）及び（Ｂ）に示す第１及び第２の記憶部２２ｂＬ及び２２ｂＣを有する。なお、図１０（Ａ）及び（Ｂ）は、図３との対応フィールドには同一符号を付して示している。
【００７６】
第１の記憶部２２ｂＬは、図１０（Ａ）に示すように、ロゴ２２ｂ−１と、カラー対応情報２２ｂ−１１と、カテゴリー（階層化されていても良い）２２ｂ−１０を記憶している。第１の記憶部２２ｂＬとして、既存の記号用のものを兼用するようにしても良い。第２の記憶部２２ｂＣは、図１０（Ｂ）に示すように、あるロゴに対応可能な各言語（例えば、日本語、英語、中国語（簡体字）、中国語（繁体字）、韓国語など）での文字列２２ｂ−２〜２２ｂ−６と、連絡先情報（ＵＲＬや電話番号）２２ｂ−７と、解説情報２２ｂ−８と、音コード列２２ｂ−９と、カテゴリー（階層化されていても良い）２２ｂ−１０とを含んでいる。
【００７７】
例えば、非常用のロゴ（図８参照）は、一般的には、「非常口」を表すものとして用いられるが、「非常階段」を対応付けることもでき、第２の記憶部２２ｂＣに、「非常口」用のレコードと、「非常階段」用のレコードとを別個用意し、後述するようにして、非常用のロゴに、「非常口」用のレコード又は「非常階段」用のレコードの任意のものを対応付けることができる。また例えば、第２の記憶部２２ｂＣに、非常口ロゴ用の各レコードとして、日本語文字列の表現で、「右に進め（文字に代え、矢印記号「→」であっても良い）」、「直進」、「階段を上れ」などを用意しておき、そのラベルが貼付される場所に好適なレコードの選択を可能とするようにしても良い。さらに例えば、三角図形「△」の中央部分に強調マーク「！」を有するロゴ（以下、注意ロゴと呼ぶ）は、どのような注意事項かを問わず、注意を促すものであるが、第２の記憶部２２ｂＣに、多種類の注意事項（例えば、「高温注意」、「高圧注意」、「落下物注意」など）のレコードを設けておけば、任意の注意事項を注意ロゴに対応付けることができる。
【００７８】
第２の実施形態のテープ印刷装置では、ロゴと文字列とを含むラベル情報の入力にはデザインフォーム入力が利用されている。
【００７９】
キー入力部１１におけるフォーム入力キー（専用キーでも汎用キーでも良い）が操作されたときには、ＣＰＵ２１は、「宛名用ラベルフォーム」、「回覧用ラベルフォーム」、「備品管理用ラベルフォーム」、「ロゴ・文字列ラベルフォーム」などのフォーム種類名を候補として含むメニュー画面（図示せず）を液晶ディスプレイ３５に表示させ、「ロゴ・文字列ラベルフォーム」が選択されたときには、ロゴ・文字列ラベル作成プログラム２２ｄを開始する。第２の実施形態のロゴ・文字列ラベル作成プログラム２２ｄも、ＲＯＭ２２（図１参照）に格納されている。
【００８０】
ロゴ・文字列ラベル作成プログラム２２ｄは、図１１に示すようなロゴ・文字列ラベル用のフォーム入力画面ＰＩＣを提示して、ＣＰＵ２１が情報を取り込むものである。なお、液晶ディスプレイ３５の表示面積によっては、ロゴ・文字列ラベル用のフォーム入力画面ＰＩＣは部分的に表示され、カーソルキーの操作に応じて、上下左右にスクロールされる。
【００８１】
図１１に示すロゴ・文字列ラベル用のフォーム入力画面ＰＩＣでは、レイアウトとして、「縦型レイアウト」、「横型レイアウト」、「要素別カッテング」のいずれかだけを択一的に選択できる。選択は、例えば、ラジオボタンＰＩＣ１ａ〜ＰＩＣ１ｃに対するクリックにより行う。
【００８２】
ここで、「縦型レイアウト」とは、上述した図８（Ａ）に示すような、ロゴが最上部に位置し、他の印刷要素の内容が、その下方に上下方向に併記されるレイアウトである（文字揃えはセンタリング方式を適用；但し、他の印刷要素の文字揃えなどを選択可能にしても良い）。「横型レイアウト」とは、上述した図８（Ｂ）に示すような、ロゴが最左部に位置し、他の印刷要素の内容が、その右方に位置するレイアウトである。横型レイアウトの場合であっても、後述するように、複数の印刷要素の内容が上下方向に併記されることもあり得る。「要素別カッテング」は、要素別のラベルを形成する擬似的なレイアウトである。第１の実施形態で説明したように、「要素別カッテング」でのカットを、フルカットで行うか、ハーフカットで行うかを選択し得るようにしても良く、また、注記文字（又は注記マーク）も併せて印刷するか否かを選択し得るようにしても良い。
【００８３】
ロゴ・文字列ラベル用のフォーム入力画面ＰＩＣにおいて、ロゴに関しては、カテゴリーの大分類及び小分類を指定できるようになされている。カテゴリーの大分類及び小分類の指定は、入力表示フィールドＰＩＣ２ａ、ＰＩＣ２ｂにカーソルを移動させて候補キーを操作することで表示されるメニューによる方法でも良く、入力表示フィールドＰＩＣ２ａ、ＰＩＣ２ｂにカーソルを移動させた後のカテゴリー名の文字入力による方法でも良い。
【００８４】
ロゴに関するカテゴリーの大分類及び小分類が定まった直後には、ロゴ表示フィールドＰＩＣ３に、指定されたカテゴリー（大分類及び小分類）に属するロゴの１個を候補として表示させ、候補切換キー（「前候補」キーや「次候補」キー）の切換に応じて、表示ロゴを切換え、実行キーにより、ロゴの選択を確定させる。選択されたロゴがカラー対応のものである場合には、カラー印刷のオン用のラジオボタンＰＩＣ４を操作し得るものとする。このラジオボタンＰＩＣ４がクリックされている場合には、カラー印刷（又はテープ色の制限）を行う。
【００８５】
この第２の実施形態の場合、ロゴのみ拡大印刷を可能としており（他の印刷要素の拡大印刷を認めるようにしても良い）、２倍の拡大印刷、３倍の拡大印刷をラジオボタンＰＩＣ５ａ、ＰＩＣ５ｂによって指定可能となされている。なお、ロゴの拡大印刷を、「横型レイアウト」又は「要素別カッテング」が選択されている場合だけ認めるようにしても良い。
【００８６】
ロゴ以外の印刷要素（第２の記憶部２２ｂＣのレコードが対応）に対しても、ロゴ・文字列ラベル用のフォーム入力画面ＰＩＣで、入力表示フィールドＰＩＣ６ａ、ＰＩＣ６ｂに対して、カテゴリーの大分類及び小分類を指定できるようになされている。ここで、ロゴ以外の印刷要素について指定されたカテゴリーと、ロゴについて指定されたカテゴリーとが、当該装置が予め定めている関係にない場合には、ＣＰＵ２１は、ロゴ以外の印刷要素についてのカテゴリーの指定を拒否し、指定のし直しを求める（なお、逆に、ロゴの指定を拒否するようにしても良く、また、ロゴ又ロゴ以外の印刷要素ともに指定のし直しを可能なようにしても良い）。カテゴリー間の予め定めている関係は、小分類での一致に限定されず、大分類の一致や大分類の類似関係などであっても良い。以上では、ロゴと、ロゴ以外の印刷要素との組み合わせの可否判断を、カテゴリーに基づいて判断するものであったが、これに代え、又は、これに加え、他の要件を用いるようにしても良い。
【００８７】
ロゴ以外の印刷要素について指定されたカテゴリーが、ロゴについて指定されたカテゴリーと整合がとれている場合には、ＣＰＵ２１は、カーソルを、印刷要素レコード名フィールドＰＩＣ７に位置させる。例えば、第２の記憶部２２ｂＣのレコード名としては、各レコードの日本語文字列２２ｂ−１の表記が利用され、ユーザは、日本語文字列２２ｂ−２の表記で意図しているレコードを指定する。なお、印刷要素レコード名フィールドＰＩＣ７に表示される候補は、入力表示フィールドＰＩＣ６ａ、ＰＩＣ６ｂで規定されているカテゴリー（大分類及び小分類）に属するレコードである。
【００８８】
ロゴ・文字列ラベルに含めるロゴ以外の印刷要素の数は任意であって良いが、図１１に示すフォーム入力画面ＰＩＣでは、５個を上限としている例を示している。
【００８９】
通し番号が「１」〜「５」が付与されている入力表示フィールドＰＩＣ８ａ〜ＰＩＣ８ｅに対しては、第２の記憶部２２ｂＣの指定レコードの各言語（例えば、日本語、英語、中国語（簡体字）、中国語（繁体字）、韓国語など）での文字列２２ｂ−２〜２２ｂ−６と、連絡先情報（ＵＲＬや電話番号）２２ｂ−７と、解説情報２２ｂ−８と、音コード列２２ｂ−９との任意のものを重複することなく指定し得る。指定は、通し番号が小さい入力表示フィールドＰＩＣ８ａ〜ＰＩＣ８ｅから詰めて指定しなければならなくなっている。
【００９０】
例えば、「縦型レイアウト」が指定されている場合には、ラベル上、ロゴの下方に通し番号順の印刷要素の内容が併記される。
【００９１】
また例えば、「横型レイアウト」が指定されている場合には、ラベル上、ロゴの右方に通し番号順の印刷要素の内容が併記される。なお、「横型レイアウト」の場合、ラベル上の長手方向（横方向）の同じ位置に、複数の印刷要素の内容を併記することができ、併記ラジオボタンＰＩＣ９ｂ〜ＰＩＣ９ｅは、クリックされた場合、その印刷要素の内容は、通し番号が１個小さい印刷要素の内容とテープ幅方向に併記されることを表している。図８（Ａ）のラベル例は、通し番号「１」の入力表示フィールドＰＩＣ８ａに日本語文字列、通し番号「２」の入力表示フィールドＰＩＣ８ｂに英語文字列、通し番号「３」の入力表示フィールドＰＩＣ８ｃに連絡先が選択され、入力表示フィールドＰＩＣ８ｂに対応するラジオボタンＰＩＣ９ｂがクリックされた場合に相当する。
【００９２】
また例えば、「要素別カッテング」が指定されている場合には、ロゴだけのラベルが形成された後、通し番号順の各印刷要素についてのラベルが形成される。この「要素別カッテング」の指定時も、併記ラジオボタンＰＩＣ９ｂ〜ＰＩＣ９ｅは有効であり、クリックされた場合、その印刷要素の内容は、通し番号が１個小さい印刷要素の内容と同じラベルに併記して印刷される。
【００９３】
フォーム入力画面ＰＩＣに対し、ラベルを形成し得る情報が選択されたり入力されたりしている状況で、印刷キーが操作されると、第１の実施形態の場合と同様に、印刷動作が実行される。なお、印刷動作に先立ち、印刷イメージ表示での確認を実行するようにしても良い。
【００９４】
第２の実施形態においても、ロゴ用の第１の記憶部２２ｂＬや他の要素用の第２の記憶部２２ｂＣに対するユーザ登録機能を設けても良い。また、第２の記憶部２２ｂＣに対する字引機能を設けるようにしても良い。
【００９５】
第２の実施形態によれば、ロゴと、ロゴに対応するであろう文字列などを別個の記憶部に格納しておき、ロゴと文字列などとを有するラベルの作成時に、フォーム入力方式に従って、各記憶部から、ロゴや、他の印刷要素を取り出してラベルを作成するようにしたので、公共的マークなどのロゴを含んだ印刷内容のラベルをユーザが容易に作成することができる。
【００９６】
また、第２の実施形態によれば、ロゴと、ロゴに対応するであろう文字列などを別個の記憶部に格納しているので、同一のロゴを適用する場合でも異なる文字列などを対応付けでき、それだけ多様なロゴ・文字列ラベルを作成可能である。
【００９７】
第２の実施形態についての他の効果は、上述した第１の実施形態の効果と概ね同様である。
【００９８】
（Ｃ）他の実施形態
上記各実施形態の説明においても、種々変形実施形態に言及したが、さらに、以下に例示するような変形実施形態を挙げることができる。
【００９９】
（Ｃ−１）ロゴの印刷位置
上記各実施形態では、「縦型レイアウト」や「横型レイアウト」におけるロゴの位置が固定（最上部、最左部）のものを示したが、他の位置に固定であっても良く、また、ユーザが位置指定できるものであっても良い。
【０１００】
また、図１２に例示するように、ロゴを、他の要素と重ね書きするようにしても良い。この場合、例えば、ロゴ側のトーンをハーフトーンにするなどの地紋化するようにしても良い。
【０１０１】
なお、レイアウトにおける文字サイズなどの属性情報は、相対値表現で記述しておき、装填されているテープ幅に応じて、絶対値に変換することが好ましい。
【０１０２】
（Ｃ−２）ラベルでの印刷要素の区別化
上記各実施形態では、「要素別カッテング」方式の場合にのみ、ラベル上の印刷要素を明らかにする注記文字（又は注記マーク）を印刷するものを示したが、「縦型レイアウト」や「横型レイアウト」についても、注記文字（又は注記マーク）を印刷するようにしても良い。また、印刷する注記文字（又は注記マーク）も他の文字と同程度の大きさで印刷するようにしても良い。
【０１０３】
図１３（Ａ）及び（Ｂ）は、「横型レイアウト」に関する注記文字の印刷レイアウトである。図１３（Ａ）は、上下方向に併記されているロゴ以外の印刷要素の言語種類（注記文字）を、上下方向に並べて印刷したものであり、例えば、この部分は他の部分に対してハーフカットされている。図１３（Ｂ）は、左右方向に併記されているロゴ以外の印刷要素の言語種類（注記文字）を、上下方向に並べて印刷したものであり、例えば、この部分は他の部分に対してハーフカットされている。
【０１０４】
なお、印刷ヘッドを別途設け、注記文字（又は注記マーク）をラベルの裏面側に印刷するようにしても良い。
【０１０５】
文字列の言語種類の相違などを、地紋などの相違で弁別可能とするようにしても良い。
【０１０６】
（Ｃ−３）印刷枚数
「要素別カッテング」方式が選択された場合には、「ロゴ」ラベル３枚、「日本語文字列」ラベル５枚、「英語文字列」ラベル３枚、「韓国語文字列」ラベル１０枚のように、要素別のラベル毎に印刷枚数を指定できるようにしても良い。
【０１０７】
「縦型レイアウト」や「横型レイアウト」についても、適用要素として要素Ａ〜Ｅを指定した後で、ロゴ＋要素Ａ〜Ｄのラベル５枚、ロゴ＋要素Ａ〜Ｅのラベル４枚のような印刷枚数の指定を認めるようにしても良い。
【０１０８】
（Ｃ−４）ロゴ・文字列ラベル用データ
上記各実施形態では、各言語種類の対応表現をテーブル状に記憶しておくものを示したが、例えば、翻訳用辞書を別途備えておくと共に、テーブルには日本語の表記だけを記述しておき、他の言語の文字列が必要となった場合には、翻訳用辞書（多言語対応用語辞書）をアクセスして得るようにしても良い。単に翻訳用辞書を備えるだけでなく、翻訳ソフトウェアを搭載し、他言語の解説情報を翻訳によって得るようにしても良い。このような場合も、複数の言語種類の文字列情報（フィールド）の組（レコード）を記憶している概念に入る。
【０１０９】
上記各実施形態では、ロゴに対応付けられる文字列などのデータが固定のものを示したが、読み出した後に、変更し得るようにしても良い。例えば、「高温注意」を読み出したユーザがそれを利用して「高圧注意」に変更できるようにしても良い。
【０１１０】
また、通貨や度量衡用の場合など、当初から文字列の追加を許容するような文字列などのデータであっても良い。例えば、日本語文字列のデータとして、「￥」を用意しておき、ユーザがその後に数字入力を行い、「￥１，０００」に追加修正できるようなものであっても良い。
【０１１１】
さらに、装置が用意していない文字列をユーザが入力して、ロゴ・文字列ラベルに印刷させるようにしても良い。例えば、ロゴ・文字列ラベル用のフォーム入力画面ＰＩＣに、ユーザが自由に入力し得る入力フィールドを設け、この入力フィールドに文字列が入力された場合には、ロゴに最も近い位置に印刷させるようにする。
【０１１２】
なお、装置がロゴに対応付けられるものとして用意している文字列などの言語種類は、上記実施形態のものに限定されない。本発明の場合、２言語以上の文字列などが含まれていれば良い。ここでの「２言語以上」は、例えば、日本語の一般的な文字と点字出力としても良い。この場合、ロゴに相当する点字を打刻するような構成としても良い。更には、その点字に対する日本語や英語の意味を併記して印刷するようにしても良い。
【０１１３】
（Ｃ−５）音コードの変形例
上記各実施形態では、所定装置で読み取り動作を実行すれば音声出力される音コード列を、ロゴ・文字列ラベルに含めて印刷し得るものを示したが、他の音情報ロゴ・文字列ラベルに含めて印刷し得るようにしても良い。例えば、音の高さと音の長さとを表す音符のデータ列として、ロゴに対応する音データを記憶しておき、ロゴ・文字列ラベルへの印刷では、装置が予め用意している五線譜図形に音符シンボルを配置して印刷させるようにしても良い。
【０１１４】
なお、ロゴ・文字列ラベルとは切り離した五線譜印刷機能を別途持たせても良い。この場合のユーザ入力としては、例えば、文字「ＣＤＥＦＧＡＢ」のキーをそれぞれ、音程「ドレミファソラシ」に対応付けると共に（高音や低音はある所定キーとの同時押し）、文字キーの１度押し＋実行、２度押し＋実行、３度押し＋実行などをそれぞれ、８分音符、４分音符、２分音符に対応付けて音譜を入力させる方法を挙げることができる。
【０１１５】
（Ｃ−６）字引機能の変形例
当該装置が用意している字引機能を教育機能に利用するようにしても良い。例えば、該当する教育機能キーの操作によって、教育モードに入り、質問側要素と回答側要素とを決定させる。例えば、動物用ロゴを質問側要素とし、その英語表記（英語文字列）を回答側要素として指定する。装置が内蔵する乱数機能を利用していずれかの動物ロゴを表示させ、その英語表記を入力させる。正解の場合には、次の動物ロゴの表示に移行させ、不正解の場合には、その動物ロゴと共に英語表記を印刷したラベルを形成させる。例えば、このような教育機能を利用すれば、子供などに対して用語を教育できるだけでなく、公共的マークの日本その他の場所での表現（所定言語での表現）を教えることができる。
【０１１６】
（Ｃ−７）システム構成
さらに、上記各実施形態では、専用機としてのテープ印刷装置を示したが、パソコンとラベルプリンタとが結合されたテープ印刷システムに、本発明の技術思想を適用するようにしても良く、また、専用機としてのスタンプ（印章）作成装置や、パソコンとスタンプ作成用周辺装置とが結合されたスタンプ作成システムなどに、本発明の技術思想を適用するようにしても良い。
【０１１７】
パソコンとラベルプリンタとが結合されたテープ印刷システムに、本発明を適用する場合であれば、例えば、ロゴ・文字列ラベルのレイアウトの決定に、ＷＹＳＩＷＹＧ方式及びドラッグアンドドロップ方式を適用するようにしても良い。例えば、ロゴや他の印刷要素を一覧表示したウィンドウ部分から、空白のラベルイメージ部分へ、ロゴや他の印刷要素の表示を移動配置してレイアウトをユーザが作成するようにしても良い。
【０１１８】
なお、例えば、専用機でテープ印刷装置を構築した場合であっても、外付けＲＯＭパック（他の記憶媒体でも良い）を適用することにより、ロゴ・文字列ラベルの作成に供する、ロゴ数や言語数の増大を可能とするようにしても良い。
【図面の簡単な説明】
【０１１９】
【図１】第１の実施形態の電気的構成を示すブロック図である。
【図２】第１の実施形態の外観を示す斜視図である。
【図３】第１の実施形態のロゴ・文字列対応付けテーブルの構成を示す説明図である。
【図４】第１の実施形態のロゴ・文字列ラベルの作成処理を示すフローチャートである。
【図５】図４でのレイアウトの取込処理の詳細を示すフローチャートである。
【図６】第１の実施形態の要素別カッテング方式の説明図である。
【図７】第１の実施形態のレイアウト選択のための表示候補例を示す説明図である。
【図８】図７に対応する作成されたロゴ・文字列ラベルを示す説明図である。
【図９】第１の実施形態の字引処理を示すフローチャートである。
【図１０】第２の実施形態の固定データの構成を示す説明図である。
【図１１】第２の実施形態のロゴ・文字列ラベル用のフォーム入力画面を示す説明図である。
【図１２】他の実施形態のロゴ・文字列ラベル（１）を示す説明図である。
【図１３】他の実施形態のロゴ・文字列ラベル（２）を示す説明図である。
【符号の説明】
【０１２０】
１０…入力部、
１１…キー入力部、１１ａ…ロゴ・文字列ラベルモードキー、１１ｂ…字引キー、
１２…テープ種類検出センサ、
２０…制御部、
２１…ＣＰＵ、
２２…ＲＯＭ、２２ａ…ロゴ・文字列ラベルモードの実行プログラム、２２ｂ…ロゴ・文字列対応付けテーブル、２２ｃ…テーブル利用字引プログラム、
２３…ＲＡＭ、
２４…キャラクタジェネレータＲＯＭ（ＣＧ−ＲＯＭ）、
２８…マスパターンジェネレータＲＯＭ、
ＰＩＣ…ロゴ・文字列ラベル用のフォーム入力画面、
３０…出力部、
３２…サーマルヘッド、
３５…液晶ディスプレイ。
【図１】
2005313469.tif 000003
【図２】
2005313469.tif 000004
【図３】
2005313469.tif 000005
【図４】
2005313469.tif 000006
【図５】
2005313469.tif 000007
【図６】
2005313469.tif 000008
【図７】
2005313469.tif 000009
【図８】
2005313469.tif 000010
【図９】
2005313469.tif 000011
【図１０】
2005313469.tif 000012
【図１１】
2005313469.tif 000013
【図１２】
2005313469.tif 000014
【図１３】
2005313469.tif 000015